【手続補正書】
【提出日】平成17年6月15日(2005.6.15)
【手続補正１】
【補正対象書類名】明細書
【補正対象項目名】全文
【補正方法】変更
【補正の内容】
【書類名】        明細書
【発明の名称】    木造建築部材の接合装置
【特許請求の範囲】
【請求項1】
木造建築の柱、胴差、梁、桁等の互いに接合する一方の柱から突設する金具に相手の横架材を締結手段で接合する木造建築部材の接合装置において、前記金具は、横架材の幅より狭く形成された柱の当接面に平行して接する支持板と、該支持板の上下部分の中心に上下方向に長手の楕円形挿通孔を有し、前記支持板の下部に水平に突出する梁受板と、支持板から直角に突出する先端に突設部を有する接合板とからなり、前記支持板には柱内に挿入する複数の突起部を備え、前記横架材に金具の支持板が収まる凹部を設け、横架材に金具の接合板が嵌挿する係合溝を備え、横架材の上部には楔受部を設けたことを特徴とする木造建築部材の接合装置。
【請求項2】
前記金具の支持板の上下部分に設けた前記楕円形挿通孔に挿通する複数のボルトが、前記柱を挟んで互いに装着した支持板同士を締結するボルトと、柱の直角の面に装着した支持板を締結するボルトが、前記楕円形挿通孔に挿通した互いのボルト同士が上下で十字状に交差することを特徴とする請求項1に記載の木造建築部材の接合装置。
【請求項3】
前記金具の接合板の先端に設けた突設部の両側に垂直方向に嵌合溝を設け、前記突設部を有する前記接合板が前記横架材の係合溝に嵌挿し、前記楔受部内に突設部が突出した楔受部内に楔受具を落とし込み、突設部の先端に楔受具を押し込んで突設部挿入口を突設部に嵌合して楔受具を所定位置に案内し、該楔受具の背面で突設部の嵌合溝に嵌合板を上から差込んで楔受具を嵌合板で定着し、該楔受具の斜面と楔受部内の側面との間の隙間に上から複数の楔を打ち込んで横架材を柱側にずらし、前記柱に横架材が当接する部分を圧接して密着しラーメン構造としたことを特徴とする請求項1に記載の木造建築部材の接合装置。
【請求項4】
木造建築の土台、胴差、梁、桁等の一方の部材の端部と他方の部材の端部とを連結用金具を締結手段で互いに連結する木造建築部材の接合装置において、前記連結用金具のプレートには複数のボルト挿通孔を有し、該プレートの下部の中心にプレートに直交して幅を左右に均等に振り分けた梁受板を備え、前記プレートの他方の先端に両側に垂直方向に嵌合溝を有する突設部を設け、連結する前記一方の部材と他方の部材の端部に前記プレートが嵌挿する係合溝を設け、前記他方の部材の上部に楔受部を設けたことを特徴とする木造建築部材の接合装置。
【請求項5】
前記一方の部材と他方の部材が連結する双方の部材の端部に前記連結用金具のプレートが嵌挿する係合溝を有し、前記他方の部材の上部に前記楔受部を設け、前記プレートが双方の部材の前記係合溝に嵌挿し、他方の前記プレートの先端に設けた前記突設部が前記楔受部内に突出し、該楔受部内に楔受具を落とし込み、前記突設部の先端に楔受具を押し込んで突設部挿入口を突設部に嵌合して楔受具を所定の位置に案内し、該楔受具の背面で突設部の嵌合溝に嵌合板を上から差込んで楔受具を嵌合板で定着し、該楔受具の斜面と楔受部内の側面との間の隙間に上から複数の楔を打ち込み、他方の部材が接合部分側にずれ、双方の部材の先端が当接する部分が圧接して密着され、連結する部材同士がプレートを挟んで締結手段で締結されたことで接合強度が高まったことを特徴とする請求項4に記載の木造建築部材の接合装置。
【発明の詳細な説明】
【0001】
【発明の属する技術分野】
本発明は、木造建築の柱に横架材を接合する際、又は、横架材で一方の部材と他方の部材が連結する接合部分に用いる金具で木造建築部材の接合装置に関する。
【0002】
【従来の技術】
従来の接合装置としては、たとえば特開平10-331260号公報に記載されたようなものがある。
すなわち、従来の接合装置は、金具を結合部材の幅より狭く形成された主幹部材の当接面に平行して接する支持材と、該支持部材より突出する複数の接合板とからなり、前記支持板には主幹部材内に挿入する複数の突起部を備え、前記主幹部材または結合部材の何れか一方に金具の支持板が収まる凹部を設け、結合部材に金具の各接合板が嵌る係合溝を備え、前記主幹部材に前記金具をボルトによって固着し、これに結合部材を取り付ける場合には、結合部材を金具の上から降ろして金具の接合板を各係合溝に嵌挿し、結合部材の側面から複数のボルトを挿通して締結し、主幹部材に結合部材を接合するようになっている。
【0003】
【発明が解決しようとする課題】
しかしながら、上記した木造建築部材の接合装置の場合には、主幹部材に装着した支持板に結合部材を接合するのに、結合部材の側面から複数の接合板を挟んで複数のボルトを挿通して締結している。結合部材を複数のボルトのみにて支持するようになっているが、支持板の下部に梁受板を設けてないので、結合部材は木製品のため結合部材の上面に予想しない荷重が掛かると、結合部材に結合部材に直交して複数のボルト挿通孔が設けら、この挿通孔に挿通したボルトのみにて結合部材が支持されているので、この挿通孔から結合部材が横に裂けるおそれがある。
【0004】
主幹部材から突出した接合板が複数になっているが、この複数の接合板を結合部材の係合溝に嵌挿することは、それだけ結合部材の断面欠損が多くなり、構造部材の強度が低下することになる、そして、主幹部材から突出した接合板を結合部材の係合溝に挿嵌し、結合部材の側面からボルトを挿通して締結するのみでは、主幹部材に結合部材が当接する部分が圧接されないのでラーメン構造とならず構造強度が発揮されない。
【0005】
この発明は上記した従来技術の問題点を解決するためになされたもので、その目的とするところは、主幹部材から突出する接合板は一枚の板体にして結合部材の断面欠損を最小限にして部材の強度を確保し、また、結合部材を支持するのに支持板の下部に梁受板を設けて結合部材の上部からの予想しない荷重を充分に支え、そして、主幹部材の面に当接する結合部材との隙間を楔受部に楔を打ち込むことで密着して締結され、ラーメン構造となる機能を提供することにある。
【0006】
【課題を解決するための手段】
上記目的を達成するために、この発明は、木造建築の柱、胴差、梁、桁等の互いに接合する一方の柱から突設する金具に相手の横架材を締結手段で接合する木造建築部材の接合装置において、前記金具は、横架材の幅より狭く形成された柱の当接面に平行して接する支持板と、該支持板の上下部分の中心に上下方向に長手の楕円形挿通孔を有し、前記支持板の下部に水平に突出する梁受板と、支持板から直角に突出する先端に突設部を有する接合板とからなり、前記支持板には柱内に挿入する複数の突起部を備え、前記横架材に金具の支持板が収まる凹部を設け、横架材に金具の接合板が嵌挿する係合溝を備え、横架材の上部には楔受部を設け、横架材の端部の断面欠損を少なくし、横架材の端部を梁受板に載置して上からの荷重の安定を確保し、横架材の上部の楔受部内で楔を用いることで、柱と横架材の当接する部分の密着ができ、柱と横架材の接合がラーメン構造となる。
【0007】
前記金具の支持板の上下部分に設けた前記楕円形挿通孔に挿通する複数のボルトが、前記柱を挟んで互いに装着した支持板同士を締結するボルトと、柱の直角の面に装着した支持板を締結するボルトが、前記楕円形挿通孔に挿通し互いのボルト同士が上下で十字状に交差することで柱の周面に同形状の金具を使用することができる。
【0008】
前記金具の接合板の先端に設けた突設部の両側に垂直方向に嵌合溝を設け、前記突設部を有する前記接合板が前記横架材の係合溝に嵌挿し、前記楔受部内に前記突設部が突出した楔受部内に楔受具を落とし込み、突設部の先端に楔受具を押し込んで突設部挿入口を突設部に嵌合して楔受具を所定位置に案内し、該楔受具の背面で突設部の嵌合溝に嵌合板を上から差込んで楔受具を嵌合板で定着し、該楔受具の斜面と楔受部内の側面との間の隙間に上から複数の楔を打ち込んで横架材を柱側にずらし、前記柱に横架材が当接する部分を圧接してラーメン構造になった。
【0009】
木造建築の土台、胴差、梁、桁等の一方の部材の端部と他方の部材の端部とを連結用金具を締結手段で互いに連結する木造建築部材の接合装置において、前記連結用金具のプレートには複数のボルト挿通孔を有し、該プレートの下部の中心にプレートに直交して幅を左右に均等に振り分けた梁受板を備え、前記プレートの他方の先端に両側に垂直方向に嵌合溝を有する突設部を設け、連結する前記一方の部材と他方の部材の端部に前記プレートが嵌挿する係合溝を設け、前記他方の部材の上部に楔受部を設けたことで連結する部材同士の接合が安定して頑丈になった。
【0010】
前記一方の部材と他方の部材が連結する双方の部材の端部に前記連結用金具のプレートが嵌挿する係合溝を有し、前記他方の部材の上部に楔受部を設け、前記プレートが双方の部材の前記係合溝に嵌挿し、他方の前記プレートの先端に設けた前記突設部が前記楔受部内に突出し、該楔受部内に楔受具を落とし込み、前記突設部の先端に楔受具を押し込んで
突設部挿入口を突設部に嵌合して楔受具を所定の位置に案内し、該楔受具の背面で突設部の嵌合溝に嵌合板を上から差込んで楔受具を嵌合板で定着し、該楔受具の斜面と楔受部内の側面との間の隙間に上から複数の楔を打ち込み、他方の部材が接合部分側にずれ、双方の部材の先端が当接する部分が圧接され、連結する部材同士がプレートを挟んで締結手段で締結されたことで接合強度が高まったことを特徴とする。
【発明の実施の形態】
【0011】
以下に、図面を参照しながら本発明の木造建築部材の接合装置の実施の形態を説明する。
図1はこの発明の木造建築部材の接合装置を分解して示す斜視図、図2は柱を挟んで互いに装着する支持板を締結するボルトと、柱に直交して装着する支持板を締結するボルトが十字状に交差する状態を示す正面図、図3（ａ）（ｂ）は楔受部内での楔を打ち込む進行状況を示す斜視図、図4は一方の部材に他方の部材をプレートを用いて接合する分解斜視図である。
【0012】
上記金具には、Ｔ字形をなす例と、一枚の板体をなす例とあり、Ｔ字形をなす例のものは図1、図2に示すように、柱の当接面に平行して接する支持板と、該支持板の中心から突出する先端に突設部を有する接合板からなり、支持板の背面には柱内に挿入する複数の突起部を備えている、該突起部を柱内に挿入した状態で、支持板の上下部分に設けた楕円形挿通孔にボルトを挿通して締結手段で支持板を柱に装着するものである。また、金具の接合板を横架材の係合溝に挿入し、楔受部内で楔を打ち込んで柱に横架材が当接する部分を密着した後、横架材の側面から接合板を挟んで締結手段で締結するものである。
【0013】
また、図4に示す一枚の板体からなる連結用金具のプレートには、複数のボルト挿通孔を有し、プレートの下部には梁受板を備え、プレートの他方の先端には突設部を設け、一方の部材と他方の部材の端部に係合溝を有し、他方の部材の上面には楔受部を設けている、一方の部材と他方の部材のそれぞれの係合溝にプレートの長さの1/2を嵌合し、連結する両部材の側面からプレートを挟んで複数のボルトを挿通し、他方の部材の楔受部内で楔を打ち込んで双方の部材の端側が密着した後、締結手段で締結するものである。
【0014】
上記の実施形態を更に具体的に説明すると、図1に示すように金具1は柱10の当接面に接する支持板3と、支持板3に直交して突出する接合板4と、支持板3の下部に水平に梁受板6を設け、支持板3の背面には複数の突起部5を備え、支持板3の中心の上下部分に上下方向に楕円形挿通孔を設ける。柱10の面に支持板3を当接して柱10内に複数の突起部5を挿入し、支持板3の楕円形挿通孔7から柱10の挿通孔9に複数のボルト31を挿通して柱10に支持板3を締結手段30で締結する。金具1はステンレス、鉄板等の剛性の素材からなり鉄板製には亜鉛メッキ又は焼付塗装を施すものである。
【0015】
金具1に横架材20を上から降ろし、支持板3を横架材20の凹部12に嵌合し、接合板4を横架材20の係合溝21に挿嵌し、梁受板6の上面に横架材20の端部を載置して安定し、横架材20の側面の挿通孔9から接合板4の挿通孔8に複数のボルト31を挿通し、接合板4と横架材20を締結手段で締結する。
【0016】
金具1の支持板3の中心の上下部分に上下方向に向って設けた楕円形挿通孔7に挿通する複数のボルト31が、柱10を挟んで互いに装着した支持板3同士と、柱10の直角の面に装着した支持板3を締結するボルト31が、ボルト31同士が上下で十字状に交差することで、柱10の周面に装着する複数の金具1が同形体のものが使用できるという特徴がある。
【0017】
金具1に横架材20を上から降ろして横架材20の係合溝21に接合板3を挿嵌した際、横架材20の上部に設けた楔受部22内に接合板3の先端に設けた突設部4ａが案内され、楔受部22内に楔受具23を落とし込み、突設部4ａの先端に楔受具23を押し込んで、突設部4ａに突設部挿入口23ａを挿嵌して案内し、突設部4ａの両側に設けた嵌合溝4ｂに上から嵌合板24を差込み、嵌合板24で楔受具23を定着し、楔受具23の斜面と楔受部22内の側面との間の隙間に上から複数の楔25を打ち込み、横架材20が柱10に向ってずれ、柱10に横架材20が当接する部分が圧接されて密着し、柱10と横架材20の接合部分がラーメン構造となる。
【0018】
図4に示すように、木造建築部材の一方の部材と他方の部材の端部同士を連結する連結用金具で一枚の板体のプレートを用いている、連結用金具はプレートに複数のボルト挿通孔を有し、プレートの下部の中心に梁受板を備え、プレートの他方の先端に突設部を設け、連結する双方の部材の端部に係合溝を設け、該双方の部材の係合溝にプレートを挿嵌して双方の部材でプレートを挟んで締結手段で締結するものである。連結用金具はステンレス又は鉄板の剛性の素材を用いており、鉄板製のものは亜鉛メッキ又は焼き付け塗装を施すものである。
【0019】
上記の実施形態を更に具体的に説明すると、図4に示しているように、連結用金具2はプレート40に複数のボルト挿通孔42を有し、プレート40の下部の中心に直交して幅を左右に均等に振り分けた梁受板41を備え、プレート40の他方の先端に両側に垂直方向に嵌合溝4ｂを有する突設部40ａを設け、連結する一方の部材50と他方の部材51の端部にプレート40を嵌挿する係合溝43を設け、一方の部材50の上部に楔受部45を設けたものである。
【0020】
柱55からはね出した一方の部材50の端部の係合溝43にプレート40の長さの1/2を挿嵌し、梁受板41を一方の部材50の下面に密着し、一方の部材50の側面の複数の挿通孔54からボルト53を挿通してプレート40を挟んで締結手段で締結し、他方の部材51の端部の係合溝43にプレート40の長さの1/2を挿嵌し、梁受板41に他方の部材51の端部を載置して安定し、プレート40の他方の端部に設けた突設部40ａが楔受部45内において、楔受部45内に楔受具23を落とし込み、突設部40ａの先端に楔受具23を押し込んで、突設部40ａの先端から楔受具23の突設部挿入口23ａを嵌挿して案内し、突設部40ａの嵌合溝4ｂに嵌合板24を上から差し込んで嵌合して楔受具23を定着し、楔受具23の斜面と楔受部45内の側面との間の隙間に複数の楔を上から打ち込み、他方の部材51が接合部分に向かってずれるので、双方の部材の端部が密着し、しかる後に他方の部材の側面の複数の挿通孔44からボルト53を挿通して締結手段で締結することで強度の高い接合部分が確保できる。
【0021】
【発明の効果】
以上説明したように、請求項1に記載の発明によれば、木造建築部材の接合で、柱に横架材を接合するのに、柱に横架材が当接する部分の双方に切欠を設けないで、金具のみにて接合し、支持板の下部の梁受板に横架材の端部を載置して上からの荷重の安定を確保し、横架材の上面に設けた突設部内で楔受部の斜面と楔受部内の側壁との間に楔を打ち込むことで柱に横架材が当接する部分が密着され頑丈な接合構造となる。
【0022】
請求項2に記載の発明によれば、金具で支持板の上下部分に設けた楕円形挿通孔の利用で、柱を挟んで装着する支持板を締結するボルトと、柱の直角の面に装着する支持板を締結するボルトが、ボルト同士が上下部分で挿通して十字状に交差することで、柱の周面で同じ形状の金具が使用できるので便利である。
【0023】
請求項3に記載の発明によれば、横架材の上面に設けた楔受部内に突出している突設部に挿入した楔受具と楔受部内の側壁との間の隙間に楔を打ち込むことで横架材が柱に向ってずれ、柱に横架材が当接する部分が密着し、密着した状態で横架材の側面から接合板を挟んでボルトを挿通して締結することで接合部分がラーメン構造となる。
【0024】
請求項4に記載の発明によれば、木造建築部材の接合で、一方の部材と他方の部材の端部を連結する接合部分を、連結用金具のプレートの中心の下部に梁受板を設けたプレートを双方の部材の端部に設けた係合溝に挿嵌し、双方の部材が接合する端部の下面を梁受板で支持し、プレートを挟んで双方の部材の側面の複数の挿通孔からボルトを挿通して締結手段で締結することで木製の構造部材の強度を充分に発揮することができる。
【0025】
請求項5に記載の発明によれば、一方の部材と他方の部材が連結する双方の部材の端部に、連結用金具のプレートが嵌挿する係合溝を有し、他方の部材の上面に楔受部を設け、プレートが双方の部材の係合溝に嵌挿し、他方のプレートの先端に設けた突設部が楔受部内において、楔受部内に楔受具を落とし込み、突設部の先端を楔受具の突設部挿入口に挿入し、突設部の嵌合溝に嵌合板を嵌合して楔受具を固定し、楔受具の斜面と楔受部内の側面との間に楔を打ち込み、他方の部材が接合部分にずれて双方の部材の接合部分が密着し、しかる後に他方の部材の側面の複数の挿通孔からプレートを挟んでボルトを挿通し、他方の部材を締結することで木製の構造部材の強度を充分に発揮することができる。
【図面の簡単な説明】
【図1】本発明による木造建築部材の接合装置を分解して示す斜視図である。
【図2】柱を挟んで装着した支持板と、柱に直交して装着した支持板を締結するボルトが十字状に交差した状態の正面図である。
【図3】(ａ)(ｂ)金具の楔受部材の組み合わせの進行状況を示す拡大斜視図である。
【図4】一方の部材と他方の部材同士を連結用金具で接合する分解斜視図である。
【符号の説明】
１  金具、2  連結用金具、3  支持板、4  接合板、4ａ  突設部、4ｂ  嵌合溝、
5  突起部、6  梁受板、7  楕円形挿通孔、8  挿通孔、9  挿通孔、10  柱、
11  挿通孔、12  凹部、20  横架材、21  係合溝、22  楔受部、23  楔受具、
23ａ  突設部挿入口、24  嵌合板、25  楔、30  締結手段、31  ボルト、
40  プレート、40ａ突設部、41  梁受板、42  挿通孔、43  係合溝、44  挿通孔、
45  楔受部、50  一方の部材、51  他方の部材、52  締結手段、53  ボルト、
54  挿通孔、55  柱、